(57)【要約】【課題】画像を表示する表示部を有する携帯機器において、ユーザーの見るタイミングに合わせて画面表示の輝度を下げることにより、ユーザーの使い勝手を損なわないで消費電力の削減を図る。【解決手段】画面を切り替える切替トリガー信号を出力する入力部２と、該切替トリガー信号に従い画面表示部５を出力画面が切り替わるよう制御し、かつその画面の切り替え時の前後のフレームの輝度を制御する信号を輝度制御部４へ出力するメイン制御部３とを有し、画面の切り替え時に表示輝度を下げるようにした。【選択図】図１
2011242557.tif 000002
【特許請求の範囲】
【請求項１】
画像を表示する表示部を有する携帯機器であって、
画像データに応じた画像が表示されるよう該表示部を制御する表示制御部と、
該画像が所要の輝度で表示されるよう該表示部を駆動制御する輝度制御部とを備え、
該表示制御部は、
該表示部に表示される画像の切替を指令する切替トリガ信号に基づいて、該画像が切り替わる前の所定の期間、および該画像が切り替わった後の所定の期間の少なくとも一方の所定の期間の間に、該表示部に表示される画像の輝度が基準輝度から一時的に低下するよう、該輝度制御部を制御するよう構成されている、携帯機器。
【請求項２】
請求項１に記載の携帯機器において、
ユーザ操作に応じた信号を出力する入力部を有し、
該入力部は、ユーザによる画像切替操作に応じて前記切替トリガ信号を生成するものである、携帯機器。
【請求項３】
請求項２に記載の携帯機器において、
前記画像は、電子書籍を構成する各ページを示す画像であり、
前記ユーザ操作は、該電子書籍のページをめくるための操作である、携帯機器。
【請求項４】
請求項１に記載の携帯機器において、
前記画像データを格納した画像データ格納部を有し、
前記表示部には該画像データ格納部から該画像データが供給され、
前記表示制御部は、
前記表示部に表示される画像が一定時間間隔で切り替わるよう前記切替トリガ信号を生成するトリガ信号生成部を有し、該トリガ信号生成部からの切替トリガ信号に基づいて前記輝度制御部を制御する、携帯機器。
【請求項５】
請求項４に記載の携帯機器において、
前記画像データは、複数の写真を示す静止画データを含む携帯機器。
【請求項６】
請求項１に記載の携帯機器において、
前記表示制御部は、
前記画像の切替の際、前記輝度制御部を、画像が切り替わる前に前記表示部での表示輝度が前記基準輝度から低下し、該表示部での表示輝度が低下した後、次の画像が該表示部で表示されるよう制御する、携帯機器。
【請求項７】
請求項６に記載の携帯機器において、
前記表示制御部は、
前記画像の切替の際、前記輝度制御部を、前記次の画像が該表示部で表示された後所定時間が経過したとき、前記表示部での画像の表示輝度が前記基準輝度に回復するよう制御する、携帯機器。
【請求項８】
請求項１に記載の携帯機器において、
前記表示制御部は、
前記画像の切替の際、前記輝度制御部を、画像が切り替わる前に前記表示部での表示輝度が前記基準輝度から低下し、該表示部での表示輝度が低下した後、かつ次の画像が該表示部で表示される前に、前記表示部での画像の表示輝度が前記基準輝度に回復するよう制御する、携帯機器。
【請求項９】
請求項８に記載の携帯機器において、
前記表示制御部は、
前記画像の切替の際、前記輝度制御部を、前記表示部での画像の表示輝度が前記基準輝度に回復した後、前記次の画像が該表示部で表示されるよう制御する、携帯機器。
【請求項１０】
請求項１に記載の携帯機器において、
前記表示制御部は、
前記画像の切替の際、前記輝度制御部を、次の画像が前記表示部で表示される直前に、該表示部での表示輝度が前記基準輝度から低下するよう制御する、携帯機器。
【請求項１１】
請求項１０に記載の携帯機器において、
前記表示制御部は、
前記画像の切替の際、前記輝度制御部を、前記次の画像が表示された後に所定時間が経過したとき、前記表示部での画像の表示輝度が前記基準輝度に回復するよう制御する、携帯機器。
【請求項１２】
請求項１に記載の携帯機器において、
前記表示制御部は、
前記画像が切り替わる前の所定の期間、および該画像が切り替わった後の所定の期間の少なくとも一方の所定の期間の間に、該表示部に表示される画像の輝度が、前記基準輝度から段階的に低下し、その後、段階的に該基準輝度に回復するよう、該輝度制御部を制御するよう構成されている、携帯機器。
【請求項１３】
画像を表示する表示部と、画像データに応じた画像が表示されるよう該表示部を制御する表示制御部と、該画像が所要の輝度で表示されるよう該表示部を駆動制御する輝度制御部とを備えた携帯機器での画像表示を制御する方法であって、
該表示制御部が、該表示部に表示される画像の切替を指令する切替トリガ信号に基づいて、該画像が切り替わる前の所定の期間、および該画像が切り替わった後の所定の期間の少なくとも一方の所定の期間の間に、該表示部に表示される画像の輝度が基準輝度から一時的に低下するよう、該輝度制御部を制御するステップを含む、携帯機器の表示制御方法。
【請求項１４】
画像を表示する表示部と、画像データに応じた画像が表示されるよう該表示部を制御する表示制御部と、該画像が所要の輝度で表示されるよう該表示部を駆動制御する輝度制御部とを備えた携帯機器での画像表示をコンピュータにより制御するための携帯機器の表示制御プログラムであって、
該表示制御部を構成するコンピュータが、該表示部に表示される画像の切替を指令する切替トリガ信号に基づいて、該画像が切り替わる前の所定の期間、および該画像が切り替わった後の所定の期間の少なくとも一方の所定の期間の間に、該表示部に表示される画像の輝度が基準輝度から一時的に低下するよう、該輝度制御部を制御するステップを含む、携帯機器の表示制御プログラム。
【請求項１５】
請求項１４に記載の携帯機器の表示制御プログラムを記録したコンピュータ読み取り可能な記録媒体。
【発明の詳細な説明】
【技術分野】
【０００１】
本発明は、携帯機器、携帯機器の表示制御方法、携帯機器の表示制御プログラム、および携帯機器の表示制御プログラムの記録媒体に関し、特に、携帯機器における表示部での低消費電力化に関するものである。
【背景技術】
【０００２】
近年、書籍の閲覧において、従来の紙媒体によるものだけではなくＰＤＡ（Ｐｅｒｓｏｎａｌ  Ｄｉｇｉｔａｌ  Ａｓｓｉｓｔａｎｃｅ）や電子ブック（電子書籍）などの携帯に優れた携帯型電子機器の使用が普及している。
【０００３】
ところで、液晶ディスプレイのバックライトをオンにした状態での消費電力は高いため、電池による動作を行う携帯電子機器でより長時間の使用を行うために、このバックライトの輝度を低減させることにより消費電力を抑え、電池の消耗を減らすという工夫が提案されている。
【０００４】
例えば、特許文献１には、携帯電話一体型情報端末において、ユーザが操作終了後一定時間何も操作を行わないと、液晶ディスプレイのバックライトを自動的にオフし、これにより消費電力を削減するようにしたものが開示されている。
【０００５】
また、特許文献２には、携帯無線端末において、画像データ（表示信号）を解析し、その解析結果である画像の輝度レベルに応じてバックライトの強度を制御し、これにより、消費電力の削減を行うものが開示されている。
【０００６】
また、特許文献３には、液晶表示装置において、表示するコンテンツの表示サイズに合わせて、このコンテンツが表示される表示領域に位置するバックライトを部分的にオフし、これにより消費電力を削減するようにしたものが開示されている。
【先行技術文献】
【特許文献】
【０００７】
【特許文献１】特開２００２−２７１０１号公報
【特許文献２】特許第４０９４５８６号公報
【特許文献３】特開２００６−９１１４７号公報
【発明の概要】
【発明が解決しようとする課題】
【０００８】
しかしながら、特許文献１〜３では以下のような問題がある。
【０００９】
特許文献１に開示の携帯電話一体型情報端末のように、ユーザ操作が一定時間行われないときに、液晶ディスプレイのバックライトを自動的にオフするものでは、電子書籍としては使い勝手が悪いという問題がある。
【００１０】
つまり、静止画を閲覧することが主目的である電子書籍においては、何も操作を行わない閲覧時にこそ、見易く表示しておかなければならず、また各ユーザーによってその読む速度はまちまちである事から、自動でバックライトのオン、オフを行うことはユーザーの使い勝手を悪くしてしまうことになる。
【００１１】
特許文献２に開示の携帯無線端末のように、画像データ（表示信号）の解析結果に応じてバックライトの強度を制御する方法は、電子書籍などの携帯機器では不適切であるという問題がある。つまり、電子書籍では、表示内容は文字主体のものとなるため、画像データの解析を行わなくても最適な輝度レベルを予め把握でき、画像データの解析は不要な処理であり、また、画像解析の際、その信号処理に電力を消費してしまうという問題点もある。
【００１２】
特許文献３に開示の液晶表示装置のように、コンテンツが表示される表示領域のバックライトを部分的にオフにするものは、電子書籍としては使い勝手が悪く、その消費電力の削減方法は電子書籍には不向きである。
【００１３】
つまり、携帯機器の表示画面上で、部分的に画面を暗くする領域を設けてしまうと、携帯サイズの画面で見易くかつたくさんの書籍内容を表示することが困難になり、ユーザーの使い勝手が悪くなってしまう。また、たとえユーザーの使い勝手をそこなわない程度の部分的に画面を暗くする領域があったとしても、携帯サイズの画面ではその領域とバックライトのＬＥＤの配置とを合わせ込むには困難である。つまり個々のＬＥＤが受け持つ表示領域が広い場合などは、１つのＬＥＤの発光強度を低下させると広い範囲にわたって画面が暗くなり、コンテンツの表示領域だけを選択的に暗くすることはできず、この方法による消費電力削減は電子書籍などには不向きである。
【００１４】
本発明は、上記のような問題点を解決するためになされたもので、ユーザーの書籍を読む行為を阻害することなく消費電力を削減し、電池の消耗を減らすことができる携帯機器、携帯機器の表示制御方法、携帯機器の表示制御プログラム、および携帯機器の表示制御プログラムの記録媒体を得ることを目的とする。
【課題を解決するための手段】
【００１５】
本発明に係る携帯機器は、画像を表示する表示部を有する携帯機器であって、画像データに応じた画像が表示されるよう該表示部を制御する表示制御部と、該画像が所要の輝度で表示されるよう該表示部を駆動制御する輝度制御部とを備え、該表示制御部は、該表示部に表示される画像の切替を指令する切替トリガ信号に基づいて、該画像が切り替わる前の所定の期間、および該画像が切り替わった後の所定の期間の少なくとも一方の所定の期間の間に、該表示部に表示される画像の輝度が基準輝度から一時的に低下するよう、該輝度制御部を制御するよう構成されており、そのことにより上記目的が達成される。
【００１６】
本発明は、上記携帯機器において、ユーザ操作に応じた信号を出力する入力部を有し、該入力部は、ユーザによる画像切替操作に応じて前記切替トリガ信号を生成するものであることが好ましい。
【００１７】
本発明は、上記携帯機器において、前記画像は、電子書籍を構成する各ページを示す画像であり、前記ユーザ操作は、該電子書籍のページをめくるための操作であることが好ましい。
【００１８】
本発明は、上記携帯機器において、前記画像データを格納した画像データ格納部を有し、前記表示部には該画像データ格納部から該画像データが供給され、前記表示制御部は、前記表示部に表示される画像が一定時間間隔で切り替わるよう前記切替トリガ信号を生成するトリガ信号生成部を有し、該トリガ信号生成部からの切替トリガ信号に基づいて前記輝度制御部を制御することが好ましい。
【００１９】
本発明は、上記携帯機器において、前記画像データは、複数の写真を示す静止画データを含むことが好ましい。
【００２０】
本発明は、上記携帯機器において、前記表示制御部は、前記画像の切替の際、前記輝度制御部を、画像が切り替わる前に前記表示部での表示輝度が前記基準輝度から低下し、該表示部での表示輝度が低下した後、次の画像が該表示部で表示されるよう制御することが好ましい。
【００２１】
本発明は、上記携帯機器において、前記表示制御部は、前記画像の切替の際、前記輝度制御部を、前記次の画像が該表示部で表示された後所定時間が経過したとき、前記表示部での画像の表示輝度が前記基準輝度に回復するよう制御することが好ましい。
【００２２】
本発明は、上記携帯機器において、前記表示制御部は、前記画像の切替の際、前記輝度制御部を、画像が切り替わる前に前記表示部での表示輝度が前記基準輝度から低下し、該表示部での表示輝度が低下した後、かつ次の画像が該表示部で表示される前に、前記表示部での画像の表示輝度が前記基準輝度に回復するよう制御することが好ましい。
【００２３】
本発明は、上記携帯機器において、前記表示制御部は、前記画像の切替の際、前記輝度制御部を、前記表示部での画像の表示輝度が前記基準輝度に回復した後、前記次の画像が該表示部で表示されるよう制御することが好ましい。
【００２４】
本発明は、上記携帯機器において、前記表示制御部は、前記画像の切替の際、前記輝度制御部を、次の画像が前記表示部で表示される直前に、該表示部での表示輝度が前記基準輝度から低下するよう制御することが好ましい。
【００２５】
本発明は、上記携帯機器において、前記表示制御部は、前記画像の切替の際、前記輝度制御部を、前記次の画像が表示された後に所定時間が経過したとき、前記表示部での画像の表示輝度が前記基準輝度に回復するよう制御することが好ましい。
【００２６】
本発明は、上記携帯機器において、前記表示制御部は、前記画像が切り替わる前の所定の期間、および該画像が切り替わった後の所定の期間の少なくとも一方の所定の期間の間に、該表示部に表示される画像の輝度が、前記基準輝度から段階的に低下し、その後、段階的に該基準輝度に回復するよう、該輝度制御部を制御するよう構成されていることが好ましい。
【００２７】
本発明に係る携帯機器の表示制御方法は、画像を表示する表示部と、画像データに応じた画像が表示されるよう該表示部を制御する表示制御部と、該画像が所要の輝度で表示されるよう該表示部を駆動制御する輝度制御部とを備えた携帯機器での画像表示を制御する方法であって、該表示制御部が、該表示部に表示される画像の切替を指令する切替トリガ信号に基づいて、該画像が切り替わる前の所定の期間、および該画像が切り替わった後の所定の期間の少なくとも一方の所定の期間の間に、該表示部に表示される画像の輝度が基準輝度から一時的に低下するよう、該輝度制御部を制御するステップを含むものであり、そのことにより上記目的が達成される。
【００２８】
本発明に係る携帯機器の表示制御プログラムは、画像を表示する表示部と、画像データに応じた画像が表示されるよう該表示部を制御する表示制御部と、該画像が所要の輝度で表示されるよう該表示部を駆動制御する輝度制御部とを備えた携帯機器での画像表示をコンピュータにより制御するための携帯機器の制御プログラムであって、該表示制御部を構成するコンピュータが、該表示部に表示される画像の切替を指令する切替トリガ信号に基づいて、該画像が切り替わる前の所定の期間、および該画像が切り替わった後の所定の期間の少なくとも一方の所定の期間の間に、該表示部に表示される画像の輝度が基準輝度から一時的に低下するよう、該輝度制御部を制御するステップを含むものであり、そのことにより上記目的が達成される。
【００２９】
本発明に係る携帯機器の表示制御プログラムの記録媒体は、上述した本発明の携帯機器の表示制御プログラムを記録したコンピュータ読み取り可能な記録媒体であり、そのことにより上記目的が達成される。
【００３０】
次に、本発明の作用について説明する。
【００３１】
本発明においては、画像データに応じた画像が表示されるよう表示部を制御する表示制御部と、該画像が所要の輝度で表示されるよう該表示部を駆動制御する輝度制御部とを備え、該表示制御部は、該表示部に表示される画像の切替を指令する切替トリガ信号に基づいて、該画像が切り替わる前の所定の期間、および該画像が切り替わった後の所定の期間の少なくとも一方の所定の期間の間に、該表示部に表示される画像の輝度が基準輝度から一時的に低下するよう、該輝度制御部を制御するので、画面の切り替え時に輝度が下がることとなる。これにより、ユーザーの読むタイミングに合わせて画面表示の輝度を下げることが可能となり、ユーザーの使い勝手を損なわないで消費電力を低減させることができる。
【発明の効果】
【００３２】
本発明によれば、画像を表示する表示部を有する携帯機器において、画像データに応じた画像が表示されるよう該表示部を制御する表示制御部と、該画像が所要の輝度で表示されるよう該表示部を駆動制御する輝度制御部とを備え、該表示制御部を、該表示部に表示される画像の切替を指令する切替トリガ信号に基づいて、該画像が切り替わる前の所定の期間、および該画像が切り替わった後の所定の期間の少なくとも一方の所定の期間の間に、該表示部に表示される画像の輝度が基準輝度から一時的に低下するよう、該輝度制御部を制御するよう構成したので、ユーザーの書籍を読む行為を阻害することなく消費電力を削減し、電池の消耗を減らすことができるという効果が得られる。
【図面の簡単な説明】
【００３３】
【図１】図１は、本発明の実施形態１による携帯機器を説明するブロック図であり、電子書籍などの電子機器構成を示している。
【図２】図２は、従来の一般的な電子書籍の動作を説明する図であり、画面（ページ画像）の切り替え時の輝度の変化（画面と輝度の時系列の関係）を示している。
【図３】図３は、本発明の実施形態１による携帯機器の動作を説明する図であり、画面（ページ画像）の切り替え時の輝度の変化（画面と輝度の時系列の関係）を示している。
【図４】図４は、本発明の実施形態２による携帯機器を説明するブロック図であり、電子書籍などの電子機器構成を示している。
【図５】図５は、本発明の実施形態２による携帯機器の動作を説明する図であり、画面（ページ画像）の切り替え時の輝度の変化（画面と輝度の時系列の関係）を示している。
【図６】図６は、本発明の実施形態３による携帯機器を説明するブロック図であり、電子書籍などの電子機器構成を示している。
【図７】図７は、本発明の実施形態３による携帯機器の動作を説明する図であり、画面（ページ画像）の切り替え時の輝度の変化（画面と輝度の時系列の関係）を示している。
【発明を実施するための形態】
【００３４】
以下、本発明の実施形態について説明する。
（実施形態１）
図１は、本発明の実施形態１による携帯機器を説明するブロック図であり、電子書籍などの電子機器構成を示している。
【００３５】
図１に示す携帯機器１は、ユーザ操作に応じた操作信号を出力する入力部２と、画像の画像データを格納するメモリ部１１と、該メモリ部１１に格納された画像データに基づいて画像を表示する画面表示部５とを有している。また、この携帯機器１は、入力部２からの操作信号に基づいて、該メモリ部１１に対する画像データの格納および読み出しを制御するとともに、画像データに応じた画像が表示されるよう画面表示部５を制御するメイン制御部（表示制御部）３と、該画像が所要の輝度で表示されるよう該画面表示部５を駆動制御する輝度制御部４とを備えている。
【００３６】
該メイン制御部３は、該画面表示部５に表示される画像の切替を指令する切替トリガ信号に基づいて、該画像が切り替わる前の所定の期間、および該画像が切り替わった後の所定の期間の少なくとも一方の所定の期間の間に、該画面表示部５に表示される画像の輝度が基準輝度から一時的に低下するよう、該輝度制御部４を制御するよう構成されている。
【００３７】
具体的には、メイン制御部３は、前記画像の切替の際、画像が切り替わる前に前記画面表示部５での表示輝度が前記基準輝度から低下し、該画面表示部５での表示輝度が低下した後、次の画像が該画面表示部で表示され、この次の画像が該画面表示部５で表示された後所定時間が経過したとき、前記画面表示部５での画像の表示輝度が前記基準輝度に回復するように、前記輝度制御部４を該切替トリガ信号に基づいて制御する構成となっている。
【００３８】
ここで、ユーザ操作に応じた信号を出力する入力部２は、ユーザによる画像切替操作に応じて前記切替トリガ信号を生成するものである。また、画像は、電子書籍を構成する各ページを示す画像であり、ユーザ操作は、電子書籍のページをめくるための操作である。
【００３９】
なお、メイン制御部３は、フレーム切替タイミングＲｆで、１／６０秒毎に画面表示部５に表示される画像のフレームが切り替わるよう画面表示部を制御する動作も行う。つまり、画面表示部５では、１／６０秒を単位として１フレームの画像が繰り返し表示されることとなる。ただし、このフレームの切替タイミングは、１／６０秒毎に繰り返し発生するものに限定されるものではなく、該フレームの切替タイミングの発生周期は、携帯機器の用途などに応じて適宜設定されるものである。
【００４０】
また、ここでは、上記画面表示部５には液晶パネルを用いており、輝度制御部４は、画面表示部５の輝度を、該画面表示部５を駆動するドライブ信号Ｓａのデューティー比により調整するようになっている。例えば、このドライブ信号Ｓａは一定周期を有するパルス信号であり、デューティー比は、このパルス信号の１周期に対するパルス幅の比率であり、実質的に、パルス幅に相等する、ドライブ信号Ｓａの電圧値がハイレベルである期間（ハイレベル期間）と、パルス間隔に相等する、該ドライブ信号Ｓａの電圧値がローレベルである期間（ローレベル期間）との比率を示している。また、図３に示すドライブ信号Ｓａでは、タイミングＴａで、デューティー比を１００パーセント（パルスの１周期においてハイレベル期間が１００パーセントである状態）から、５０パーセント（パルスの１周期においてハイレベル期間が５０パーセントとなる状態）に変化させている。この場合、デューティー比が１００パーセントである期間は、輝度を低下させない期間（アクティブ期間）であり、デューティー比が５０パーセントである期間は、輝度を低下させている期間（ノンアクティブ期間）である。
【００４１】
また、この実施形態１では、メモリ部１１および輝度制御部４をメイン制御部３の外部に設けた例を示しているが、上記メイン制御部３は、メモリ部１１および輝度制御部４の少なくとも一方を含むものであってもよい。
【００４２】
次に動作について説明する。
【００４３】
まず、本発明の実施形態１の携帯機器の動作と対比するため、従来の一般的な電子書籍の動作について図２を用いて説明する。
【００４４】
図２は、従来の一般的な電子書籍の動作を説明する図であり、画面（ページ画像）の切り替え時の輝度の変化（画面と輝度の時系列の関係）を示している。
【００４５】
なお、従来の一般的な電子書籍の動作説明には図１に示す本実施形態１の構成を参照する。
【００４６】
従来の一般的な電子書籍としての携帯機器では、画面表示部５には、メイン制御部３の制御により、メモリ部１１から該メイン制御部３を介して画像データが入力され、入力された画像データに対応する画像が表示される。
【００４７】
例えば、ページ２の画像（最終フレームの画像）Ｐ２Ｌが表示された後に、ページ３の画像として先頭フレームの画像Ｐ３１、続くフレームの画像Ｐ３２およびＰ３３が順次表示される。このとき、各フレームの画像では輝度の変化はなく、すべて高輝度（基準輝度）で表示されることとなる。なお、図２に示す時間軸（ｔ）上のタイミングＲｆは、表示画面上でのフレームが切り替わるフレーム切替タイミングであり、垂直同期信号に基づいて、例えば１／６０秒毎に発生するものである。
【００４８】
具体的には、ページ２の画像を表示している時に、入力部２によりメイン制御部３に画面切り替えトリガーが入力されると、メイン制御部３の制御により、メモリ部１１から該メイン制御部３を介して画面表示部５へページ３の画像Ｐ３１が出力される。そして、この状態では、入力部２から次の画面切り替えトリガー信号が入るまで、画面表示部５では、ページ３の画像の表示が続けられる。この間、各フレームで画像の輝度は常に同じである。
【００４９】
一方、図３は、本発明の実施形態１による携帯機器１の動作を説明する図であり、画面（ページ画像）の切り替え時の輝度の変化（画面と輝度の時系列の関係）を示している。
【００５０】
画面表示部５は、１フレーム毎にメイン制御部３の制御によりメモリ部１１から該メイン制御部３を介して画像データが入力されて、入力された画像データに対応するフレームの画像を表示する。
【００５１】
例えば、ページ２のあるフレームの画像Ｐ２Ｍを表示している時に、入力部２によりページ３の画像を表示することを指令する画面切り替えトリガー信号がメイン制御部３に入力されると、メイン制御部３は、輝度制御部４へ輝度を下げるよう指示する（タイミングＴａ）。このとき、輝度制御部４はドライブ信号Ｓａのデューティー比を変化させることで、画面表示部５の輝度を下げる。ここで、ドライブ信号Ｓａは一定周期を有するパルス信号であるので、デューティー比は、パルス幅に相等する、ドライブ信号Ｓａの電圧値がハイレベルである期間（ハイレベル期間）と、パルス間隔に相等する、該ドライブ信号Ｓａの電圧値がローレベルである期間（ローレベル期間）との比率である。例えば、図３に示すドライブ信号Ｓａでは、タイミングＴａで、デューティー比を１００パーセントから５０パーセントに変化させることにより、画面表示部５にて、一時的に輝度の落ちたページ２の次のフレームの画像Ｐ２Ｌが表示される。
【００５２】
その後、メイン制御部３は、画面表示部５へページ３の画像データをメモリ部１１から該メイン制御部３を介して出力し、画面表示部５にてページ３の最初のフレームの画像Ｐ３１が表示されるよう、該メモリ部１１および画面表示部５を制御する。この際、輝度制御部４はメイン制御部３からの指示で画面表示部５での輝度を落としたままに保持しているため、ページ３の最初のフレームの画像Ｐ３１は輝度が落ちた状態で表示される。その後、メイン制御部３から輝度制御部４へ輝度を元に戻すよう指示がなされると（タイミングＴｂ）、輝度制御部４はドライブ信号Ｓａのデューティー比を５０パーセントから１００パーセントに変化させることで、画面表示部５の輝度を元に戻す。これにより、画面表示部５にて輝度が元に戻ったページ３の次のフレームの画像Ｐ３２が表示される。その後は、入力部２により次の画面切り替えトリガー信号が入るまで輝度が元に戻ったページ３の画像の表示が続く。
【００５３】
このように本実施形態１に係る携帯機器１によれば、ユーザ操作により、画面を切り替えるトリガー信号を出力する入力部２と、そのトリガー信号に基づいて、画面表示部５での輝度が一時的に低下するよう輝度制御部４を制御するメイン制御部３とを備えたので、入力部からの切替トリガー信号に従い、画面表示部５で表示される画面（ページ）の画像が、画面の切り替え時の前後のフレームの輝度が低下したものとなり、ユーザーの使い勝手を損なわないで消費電力を低減させることができる。
【００５４】
また、ページ切り替え時に輝度を下げることにより、目視でページが切り替わったことをユーザーに知らせることで、例え似たような文字並びのページ切り替えであってもきちんとページ切り替えが行われたという認識をユーザに与えることができるという利点も備わっている。
【００５５】
なお、上記実施形態１では、メイン制御部３として、入力部２からのユーザ操作に応じた切替トリガ信号に基づいて画像を切り替えるものを示したが、このメイン制御部３は、前記画面表示部５に表示される画像が一定時間間隔で切り替わるよう前記切替トリガ信号を生成するトリガ信号生成部を有し、該トリガ信号生成部で生成した切替トリガ信号に基づいて前記輝度制御部を制御するものでもよい。また、この場合、前記画像データは、複数の写真を示す静止画データであることが好ましい。このように画像データを写真を示す静止画データとすることで、写真のスライドショーを行う際に、写真が切り替わる度に、その切り替わりの前後の所定の期間の間、画面表示部５に表示される写真の画像の輝度を一時的に低下させることができる。
（実施形態２）
次に本発明の実施形態２による携帯機器を説明する図である。
【００５６】
図４は、本発明の実施形態２による携帯機器を説明するブロック図であり、電子書籍などの電子機器構成を示している。また、図５は、この実施形態２の携帯機器における、画面（ページ画像）の切り替え時の輝度の変化（画面と輝度の時系列の関係）を示している。
【００５７】
この実施形態２の携帯機器１ａは、上記実施形態１の携帯機器１とは、ページ画像の切替時に画面表示部の輝度を低下させた後に輝度を元の基準輝度に戻すタイミングＴｃが、実施形態１のタイミングＴｂと異なるものである。
【００５８】
すなわち、この実施形態２の携帯機器１ａでは、メイン制御部３ａは、実施形態１におけるメイン制御部３とは異なり、画像の切替の際、輝度制御部４を、画像が切り替わる前（タイミングＴａ）に前記画面表示部５での表示輝度が前記基準輝度から低下し、該画面表示部５での表示輝度が低下した後、かつ次の画像が該画面表示部５で表示される前（タイミングＴｃ）に、前記画面表示部５での画像の表示輝度が前記基準輝度に回復するよう制御する。
【００５９】
また、この実施形態２では、メイン制御部３ａは、画像の切替の際、画面表示部５を、該画面表示部５での画像の表示輝度が前記基準輝度に回復した後に、前記次の画像が該画面表示部５で表示されるよう制御する。
【００６０】
なお、この実施形態２の携帯機器におけるその他の構成は実施形態１におけるものと同一である。
【００６１】
次に、動作について説明する。
【００６２】
画面表示部５には、１フレーム毎にメイン制御部３ａの制御によりメモリ部１１から該メイン制御部３ａを介して画像データが入力され、入力された画像データの各フレームの画像が表示される。
【００６３】
例えば、図５に示すように、ページ２のあるフレーム画像Ｐ２Ｍを表示している時に、入力部２によりページ３の画像への切替を指令する画面切り替えトリガーが、メイン制御部３ａに入力されると、メイン制御部３ａは輝度制御部４へ輝度を下げるよう指示する（タイミングＴａ）。このとき、輝度制御部４はドライブ信号Ｓｂのデューティー比を１００パーセントから５０パーセントに変化させる。これにより、輝度制御部４により画面表示部５の輝度が低下させられ、画面表示部５にて一旦輝度の落ちたページ２の次のフレーム画像Ｐ２Ｌが表示される。その後、メイン制御部３ａは、メモリ部１１から該メイン制御部３を介して画面表示部５へページ３の画像データが出力され、画面表示部５にてページ３の最初のフレーム画像Ｐ３１が表示されるよう画面表示部５を制御すると同時に、輝度制御部４へ輝度を元に戻すよう指示する（タイミングＴｃ）。このとき、輝度制御部４は、ドライブ信号Ｓｂのデューティー比を５０パーセントから１００パーセントに変化させることで、画面表示部５の輝度を元に戻す。これにより、画面表示部５にて、輝度が元に戻ったページ３の最初のフレーム画像Ｐ３１が表示される。その後は入力部２により次の画面切り替えトリガー信号が入るまでページ３のフレーム画像Ｐ３２・・・が順次表示され続ける。
【００６４】
このような実施形態２においても、上記実施形態１と同様、画面を切り替えるトリガー信号を出力する入力部２からのそのトリガー信号に従い、画面表示部５で表示される画面（ページ）の画像が、画面の切り替え時のフレーム画像の輝度が低下したものとなり、これによりユーザーの使い勝手を損なわないで消費電力を低減させることができる。
（実施形態３）
次に本発明の実施形態３による携帯機器を説明する図である。
【００６５】
図６は、本発明の実施形態３による携帯機器を説明するブロック図であり、電子書籍などの電子機器構成を示している。また、図７は、この実施形態３の携帯機器における、画面（ページ画像）の切り替え時の輝度の変化（画面と輝度の時系列の関係）を示している。
【００６６】
この実施形態３の携帯機器１ｂは、上記実施形態１の携帯機器１とは、ページ画像の切替時に画面表示部５の輝度を低下させるタイミングＴｄが、実施形態１のタイミングＴａと異なるものである。
【００６７】
すなわち、この実施形態３の携帯機器１ｂでは、メイン制御部３ｂは、実施形態１におけるメイン制御部３とは異なり、前記画像の切替の際、前記輝度制御部４を、次の画像が前記画面表示部５で表示される直前に、該画面表示部５での表示輝度が前記基準輝度から低下し（タイミングＴｄ）、前記画面表示部５での表示輝度が前記基準輝度から低下した後に所定時間が経過したとき（タイミングＴｂ）、前記表示部での画像の表示輝度が前記基準輝度に回復するよう制御する。なお、この実施形態３の携帯機器におけるその他の構成は実施形態１におけるものと同一である。
【００６８】
次に動作について簡単に説明する。
【００６９】
画面表示部５には、１フレーム毎にメイン制御部３ｂの制御によりメモリ部１１から該メイン制御部３ｂを介して画像データが入力され、入力された画像データの各フレームの画像が表示される。
【００７０】
例えば、図７に示すように、ページ２のあるフレーム画像Ｐ２Ｌを表示している時に、入力部２によりページ３の画像への切替を指示する画面切り替えトリガー信号が、メイン制御部３ｂに入力されると、メイン制御部３ｂは、輝度制御部４へ輝度を下げるよう指示する（タイミングＴｄ）。このとき、輝度制御部４はドライブ信号Ｓｃのデューティー比を１００パーセントから５０パーセントに変化させることで、画面表示部５の輝度を下げる。また同時に、メイン制御部３ｂは、画面表示部５にメモリ部１１から該メイン制御部３ｂを介してページ３の画像（フレーム画像Ｐ３１）が出力され、画面表示部５にて輝度の下がったページ３の画像が表示されるよう画面表示部５を制御する。その後、メイン制御部３ｂが輝度制御部４へ輝度を元に戻すよう指示すると（タイミングＴｂ）、輝度制御部４はドライブ信号Ｓｃのデューティー比を５０パーセントから１００パーセントに変化させることで、画面表示部５の輝度を元に戻す。これにより、画面表示部５にて表示輝度が元に戻ったページ３の画像（フレーム画像Ｐ３２）が表示される。その後、入力部２によりメイン制御部３に次の画面切り替えトリガーが入るまで、画面表示部５では、輝度が元に戻ったページ３の画像（フレーム画像Ｐ３３・・・）の表示が続く。
【００７１】
このような本実施形態３においても、上記実施形態１と同様、画面を切り替えるトリガー信号を出力する入力部２からのそのトリガー信号に従い、画面表示部５で表示される画面（ページ）の画像が、画面の切り替え時のフレームの輝度が低下したものとなり、これによりユーザーの使い勝手を損なわないで消費電力を低減させることができる。
【００７２】
なお、上記実施形態１〜３では、画面表示部５での輝度の変化を低輝度および高輝度の２つのレベルとしているが、画面の切替時には段階的に輝度レベルを変化させてもよい。
【００７３】
例えば、メイン制御部（表示制御部）は、前記画像が切り替わる前の所定の期間、および該画像が切り替わった後の所定の期間の少なくとも一方の所定の期間の間に、該画面表示部に表示される画像の輝度が、前記基準輝度から段階的に低下し、その後、段階的に該基準輝度に回復するよう、該輝度制御部４を制御するものであってもよい。この場合、画面表示部５では、画面（ページ画像）の切替時に、前のページの画像がフェードアウトし、次のページの画像がフェードインするような画面の切替が可能となる。
【００７４】
また、低輝度レベルは、高輝度レベルに対して相対的に低い輝度レベルを意図するものであり、画面の輝度レベルを低輝度レベルにする場合には、画面の輝度レベルを輝度オフ（輝度ゼロ）のレベルとしてもよい。例えば、ドライブ信号のデューティー比を０パーセントにする、つまり該ドライブ信号のハイレベル期間をなくすことで、画面の輝度レベルを輝度オフのレベルにすることができる。
【００７５】
また、上記実施形態１〜３では、ドライブ信号のデューティ比を１００パーセント（高輝度）と５０パーセント（低輝度）との間で切り替えているが、ドライブ信号のデューティ比の切替は、これらの比率に限定されるものではない。例えば、ドライブ信号のデューティ比は、１００パーセント（高輝度）と０パーセント（低輝度）との間で切り替えてもよく、５０パーセント（高輝度）と０パーセント（低輝度）との間で切り替えてもよい。高輝度および低輝度をそれぞれドライブ信号のどのようなデューティ比に設定するかは、各実施形態の携帯機器をどのような用途で用いるかによって適切なものに設定することができる。
【００７６】
また、図３、図５、図７では、画面切り替えトリガーに応じた、メイン制御部から輝度制御部への制御信号に基づいて、輝度制御部からのドライブ信号Ｓａ，Ｓｂ、Ｓｃのディーティー比の変化が、フレーム間にタイミングよく発生しているが、これは便宜上のものであり、本発明はこれに限定するものではない。
【００７７】
例えば、画面切り替えトリガーに応じた、メイン制御部から輝度制御部への制御信号に基づいて、輝度制御部からのドライブ信号Ｓａ，Ｓｂ、Ｓｃのディーティー比の変化が、フレーム画像の表示期間に生成された場合は、輝度を低下させるページ画像ではその上側が高輝度、下側が低輝度となる場合もあり、また輝度を回復させるページ画像では、その上側が低輝度、下側が高輝度となる場合もある。
【００７８】
さらに、この切り替えトリガー信号が入力されてから輝度を下げる画面を出力するまでのフレーム数や、この切り替えトリガー信号が入力されてから出力画面を切り替えるまでのフレーム数や、輝度を落としている画面の出力フレーム数も便宜上、上記実施形態ではわかりやすいものを示しているが、それらは、上記実施形態で例示したものに限定されるものではない。
【００７９】
また、上記説明内での輝度を下げる動作というのは、上記各実施形態のように画面表示部が液晶パネルであればバックライトの輝度を下げること、もしくはバックライトをＯＦＦにする動作と同義であり、画面表示部が有機ＥＬパネルであれば発光の輝度そのものを低下させることと同義である。
【００８０】
さらに、上記実施形態１〜３では、画面表示部に液晶パネルを用い、輝度表示部を、該液晶パネルのドライブ信号のデューティー比により画面表示部の輝度が調整されるよう構成しているが、画面表示部には液晶パネル以外の表示装置を用いてもよく、また、輝度表示部から画面表示部に供給するドライブ信号は、上記実施形態で示した、画面表示部の輝度をデューティー比により決めるパルス信号に限るものではない。
【００８１】
例えば、輝度表示部から画面表示部に供給するドライブ信号は、該ドライブ信号の信号レベルにより画面表示部の輝度を決めるものでもよい。この場合、ドライブ信号の信号レベルを最大レベルにすると、画面表示部の輝度が高輝度となり、ドライブ信号の信号レベルを最小レベル（例えば０レベル）にすると、画面表示部の輝度が低輝度となるようにしてもよい。
【００８２】
また、上記実施形態１〜３の携帯機器における画面表示部での画像表示はコンピュータにより制御することが可能であり、そのための制御プログラムはコンピュータ読取可能な記録媒体に格納しておき、コンピュータは、その制御プログラムをコンピュータ読取可能な記録媒体から読み取ることが可能である。
【００８３】
具体的には、この制御プログラムは、上記各実施形態に示すように、画像を表示する画面表示部と、画像データに応じた画像が表示されるよう該画面表示部を制御するメイン制御部と、該画像が所要の輝度で表示されるよう該画面表示部を駆動制御する輝度制御部とを備えた携帯機器での画像表示をコンピュータにより制御するための携帯機器の制御プログラムである。
【００８４】
この制御プログラムは、該メイン制御部を構成するコンピュータが、該画面表示部に表示される画像の切替を指令する切替トリガ信号に基づいて、該画像が切り替わる前の所定の期間、および該画像が切り替わった後の所定の期間の少なくとも一方の所定の期間の間に、該画面表示部に表示される画像の輝度が基準輝度から一時的に低下するよう、該輝度制御部を制御するステップを含んでいる。
【００８５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許文献は、その内容自体が具体的に本明細書に記載されているのと同様にその内容が本明細書に対する参考として援用されるべきであることが理解される。
【産業上の利用可能性】
【００８６】
本実施の形態に係る携帯機器は、静止画を閲覧することが主目的である電子書籍にて、何も操作を行わない閲覧時は見易い輝度のまま表示し、ページを切り替える際に輝度を下げることにより、消費電力を削減し電池の消費を抑えることができる。また、ページ切り替え時に輝度を下げることにより、目視でページが切り替わったことをユーザーに知らせることで、例え似たような文字並びのページ切り替えであってもきちんとページ切り替えが行われたという認識を与えるという利点も備わっている。このように本発明の携帯機器は、ユーザーに使い勝手の良い電子書籍の閲覧を提供することができるものであり、電子書籍などの分野で有用なものである。
【符号の説明】
【００８７】
１、１ａ、１ｂ  携帯機器
２  入力部
３、３ａ、３ｂ  メイン制御部
４  輝度制御部
５  画面表示部
１１  メモリ部
【図１】
2011242557.tif 000003
【図２】
2011242557.tif 000004
【図３】
2011242557.tif 000005
【図４】
2011242557.tif 000006
【図５】
2011242557.tif 000007
【図６】
2011242557.tif 000008
【図７】
2011242557.tif 000009